【事件の表示】
　平成　９年特許願第１０８３５６号「光ディスク用ラベル及びそれを貼付した光ディスク」拒絶査定に対する審判事件［平成１０年１０月２７日出願公開、特開平１０−２８９５５６］について、次のとおり審決する。
【結　論】
　本件審判の請求は、成り立たない。
【理　由】
１ 手続の経緯、本願発明
　本願は、平成９年４月１１日の出願であって、その請求項１〜４に係る発明は、当審において補正された明細書及び図面の記載からみて、その特許請求の範囲の請求項１〜４に記載されたとおりの「光ディスク用ラベル」及び「光ディスク」にあるものと認められるところ、その請求項１に記載された発明は次のとおりのものと認める。
　「【請求項１】
　６０℃以上のガラス転移温度を有し、線膨張率が３．０×１０−５〜１２．０×１０−５であり、かつＭＤ方向及びＴＤ方向の両方の熱収縮率が３％以下であり、厚みが２０〜１５０μｍである基材シートの少なくとも一面に印刷により形成された表示部があり、該基材シートの裏面に厚みが３〜１００μｍである感圧接着剤層が設けられていることを特徴とする光ディスクの最上層への貼付用、かつ光ディスクの基材がポリカーボネート系樹脂製である光ディスク用ラベル。」(以下、「本願発明」という。)
　　
２ 当審の拒絶理由
　当審において平成１４年２月７日付けで通知した拒絶の理由IIの概要は、次のとおりである。
　本件出願の請求項１〜４に係る各発明は、その出願前に国内において頒布された下記の刊行物に記載された発明に基づいて、その出願前にその発明の属する分野における通常の知識を有する者が、容易に発明をすることができたものと認められるから、特許法第２９条第２項の規定により特許を受けることができない。
　　　　　　　　　　　　　　　　記
　１ 特開平９−９１７６３号公報（平成９年４月４日公開）
　２ 実願平２−６２９３２号(実開平４−２０６８６号)のマイクロフィルム
　３ 特開昭５８−１９７４９号公報
　４ 特開平７−２７２３２０号公報
　５ 特開平９−６３１２５号公報（平成９年３月７日公開）
　（以下、それぞれ「引用刊行物１」、……「引用刊行物５」という。）
　　
３ 引用刊行物に記載された発明
　上記引用刊行物１〜３及び５には、それぞれ次の発明又は技術的事項が記載されている。
　(1) 引用刊行物１
　　刊行物１には、情報信号層に記録された情報信号の収録内容や図柄等の記号を表示する表示手段を備える「光ディスク」に関する事項が記載されており、段落【０００２】〜【０００６】の記載をみれば次の事項が記載されている。
　　「ポリカーボネイト、ポリメチルメタクリレート等の透明なディスク基板と、このディスク基板上に形成される情報信号層と、この情報信号層を保護する保護層とを備える光ディスクにおいて、この保護層上に、情報信号の収録内容や図柄等を表示するレーベルを印刷されたフィルム体が貼り付けられると、該フィルム体の伸縮により光ディスクに反りが発生すること。」、及び
　　「フィルム体を貼り付けることにより生じる反りは、再生動作を行う際に、読み出しエラー等の悪影響を及ぼすこと。」
　　
　(2) 引用刊行物２
　　引用刊行物２には、装飾性に優れ、使用者に対してイメージを高めることのできる「コンパクトディスク」について、次の事項が記載されている。
　　ア 第１頁の「実用新案登録請求の範囲」において
　　 「表面に微小なピットが形成された透明なディスク基板と、該ディスク基板のピット形成面に設層された金属反射層と、該金属反射層上に成形された保護層とを有するコンパクトディスクにおいて、
　　 前記保護層表面の全域もしくは一部に、予め所望のホログラムパターンが形成されたホログラム形成シートを接着して設けたことを特徴とするコンパクトディスク。」
　　イ 第４頁１５行〜第５頁９行において
　　 「第１図は本考案のコンパクトディスクの一実施例を示す斜視図であり、第２図は第１図に示されたコンパクトディスクのII−II線における概略断面図である。第１図および第２図において、コンパクトディスク（ＣＤ）１は従来のＣＤと同様の基本構成を有するものであり、表面に微小なピット３が形成された透明なディスク基板２と、このディスク基板２のピット３形成面に設層された金属反射層４と、金属反射層４上に成形された保護層５と、中央に形成されたセンターホール６とを備えている。そして、この本考案のＣＤ１では、保護層５の表面にホログラム形成シートＡが接着されて設けられている。これにより、ＣＤ１の使用者はホログラム形成シートＡのホログラムを認識することができる。」
　　ウ 第６頁１３行〜第７頁５行において
　　 「第３図の示されるホログラム形成シート１１は、基材フィルム１２と、剥離層１３を介して基材フィルム１２に積層された樹脂層１４と、樹脂層１４に形成されたホログラム形成面１５と、金属反射層１６と、感熱接着剤層１７とを有している。（中略）基材フィルム１２は（中略）、ポリプロピレンフィルム、ポリカーボネートフィルム、ポリエステルフィルム、セロファンフィルム等の透明性を有するフィルムを使用することができる。」
　　エ 第８頁１８行〜第９頁３行において
　　 「貼合タイプのホログラム形成シートである第４図に示されるホログラム形成シート２１は、基材フィルム２２と、ホログラム形成面２４を有する樹脂層２３と、樹脂層２３に形成された金属反射層２５と、感圧接着剤層２６と、剥離紙２７を有している。」
　　オ 第９頁１８行〜第１０頁６行において
　　 「第５図に示されるホログラム形成シート３１は、第４図に示されるホログラム形成シート２１と同様に貼合タイプのホログラム形成シートである。ホログラム形成シート３１は、基材フィルム３２の片面に形成されたホログラム形成面３４を有する樹脂層３３と、この樹脂層３３上に金属反射層３５および保護フィルム３６を順次積層して備え、また、基材フィルム３２の他の面に感圧接着剤層３７と剥離紙３８を有している。」
　　カ 第１１頁４〜１６行において
　　 「このようなホログラム形成シート２１，３１を用いて第１図に示されるようにＣＤ１の保護層５上にホログラム形成シートＡを設けるには、所定の形状に打抜かれたホログラム形成シート２１，３１の剥離紙を剥離しながらホログラム形成シート２１，３１をプレスローラにより保護層５に圧着することにより行われる。したがって、ホログラム形成シート２１を用いたホログラム形成シートＡでは基材フィルム２２、樹脂層２３を介してホログラムが認識され、またホログラム形成シート３１を用いたホログラム形成シートＡでは保護フィルム３６を介してホログラムが認識される。」
　　そして、第１〜２図には、保護層５の表面にホログラム形成シートＡが接着されたコンパクトディスク１が、また第３〜５図には、コンパクトディスク１に接着されるホログラム形成シート１１、２１及び３１が示されている。
　　
　　上記記載事項のうち、特に、第５図に示された貼合タイプのホログラム形成シート３１であって、その基材フィルム３２としてポリカーボネートフィルムを使用したものに着目すれば、この引用刊行物２には、以下のホログラム形成シートが記載されていることになる。
　　「ポリカーボネートフィルムからなる基材フィルム(32)の一面に、ホログラム形成面(34)を有する樹脂層(33)と該樹脂層に形成された金属反射層(35)とからなるホログラムパターンにより形成された表示部があり、前記基材フィルムの裏面に感圧接着剤層(37)が設けられており、コンパクトディスク(1)の保護層(5)上に貼付されるコンパクトディスク用ホログラム形成シート。」（以下、「引用刊行物２の発明」という。）
　　
　(3) 引用刊行物３
　　引用刊行物３には、光ディスクの保護層とラベルについて記載されており、特に、第２頁右上欄１０〜２０行の記載をみれば、「光ディスクの保護層上に設けられるラベルによって、光ディスクのゆがみは更に増大されるので問題が生じること」が記載されている。
　　
　(4) 引用刊行物５
　　引用刊行物５には、光ディスクのラベルシールについて記載されており、特に、段落【００１８】(第５欄１７〜１９行)の記載をみれば、「熱収縮しやすい樹脂フィルムは、ラベル基材の特性として好ましくないこと」が記載されている。
　　
４ 対　比
　そこで、本願発明（前者）と引用刊行物２の発明（後者）とを比較すると、
後者における「基材フィルム」、「コンパクトディスク」、「コンパクトディスクの保護層」及び「シート」は、それぞれ前者における「基材シート」、「光ディスク」、「光ディスクの最上層」及び「ラベル」に相当するものであるから、両者は以下の一致点及び相違点を有するものである。
　[一致点]
　「基材シートの少なくとも一面に表示部があり、該基材シートの裏面に感圧接着剤層が設けられている光ディスクの最上層への貼付用である光ディスク用ラベル。」
　[相違点]
　(i) 基材シートが、前者においては、６０℃以上のガラス転移温度を有し、線膨張率が３．０×１０−５〜１２．０×１０−５であり、かつＭＤ方向及びＴＤ方向の両方の熱収縮率が３％以下であり、厚みが２０〜１５０μｍであるのに対して、後者では、ポリカーボネートフィルムからなり、その厚みは明らかでない点。
　(ii) 表示部が、前者においては印刷により形成されているのに対して、後者では、ホログラム形成面(34)を有する樹脂層(33)と該樹脂層に形成された金属反射層(35)とからなるホログラムパターンにより形成されている点。
　(iii) 感圧接着剤層の厚みが、前者においては３〜１００μｍであるのに対して、後者では明らかでない点。
　(iv) 光ディスク用ラベルが貼付される光ディスクの基材が、前者においてはポリカーボネート系樹脂製であるのに対して、後者では、どのような樹脂材料であるのか明らかでない点。
　　
５ 当審の判断
　以下、上記相違点について検討する。
　(1) 相違点(i)及び(iv)について
　　保護層上にラベル（印刷が施された基材シート）が貼付され積層構造を有する光ディスクにおいて発生する反りやゆがみは、該光ディスクを構成する各層の線膨張率(熱膨張率)や熱収縮率の差に起因するものであり、この光ディスクの反りやゆがみが記録又は再生時に悪影響を及ぼすことは、上記引用刊行物１、３及び５にも記載されているように、当業者にはよく知られている技術的事項である。
　　してみれば、上記光ディスクに発生する反りやゆがみを防止するために、各層の線膨張率が同一又は近似するように各材料を選択し、且つ熱収縮率がなるべく小さい材料を選択することは、当業者であれば容易に想い到る技術的事項である。
　　また、光ディスク記録再生装置の作動中の内部温度は、室温より高くなることが普通であることを考慮すれば、光ディスクに用いられる材料のガラス転移温度は、室温より高い所定温度以上であるべきことも当業者であれば当然考慮すべき事項である。
　　そして、ポリカーボネート系樹脂を基材材料として用いる光ディスクは極めて普通のものであるから、このような光ディスクに貼付するラベルの基材シート材料として、所定の範囲の線膨張率や熱収縮率を有するものを選択することは、当業者であれば適宜採用することができる設計的事項である。
　　なお、引用刊行物２の発明の基材フィルム(32)はポリカーボネートフィルムからなっており、本願発明における基材シートの必要条件を満たしているものである。
　　さらに、基材シートの厚みについては、該基材シート材料の種類、該基材シートに形成される表示部の種類、ラベルの構造、及びラベルが貼付される光ディスクの種類等に応じて、当業者が適宜選択し得る設計的事項である。
　(2) 相違点(ii)について
　　光ディスク用ラベルにおいて、その表示部を印刷により形成することは従来から周知の技術的事項である〔例えば、実願昭６２−１６８５６４号(実開平１−７５３２１号)のマイクロフィルム(第１〜２図のレーベル４)、特開平７−１１４７４８号公報(図１の高分子フィルム７とラベル５)、及び引用刊行物１(上記３(1))参照〕から、引用刊行物２の発明において、ホログラムパターンにより形成される表示部に替えて、印刷により形成される表示部を採用することは、当業者であれば必要に応じて適宜採用し得る設計的事項である。
　(3) 相違点(iii)について
　　感圧接着剤層の厚みについては、感圧接着剤の種類、接着される基材シートや光ディスク最上層の材料の種類等に応じて、これらの接着が良好に行われるように適宜選択されるべき設計的事項である。
　(4) 数値の臨界的意義について
　　ガラス転移温度、線膨張率、熱収縮率、基材シートの厚み、及び感圧接着剤層の厚みについて、それぞれ特定の数値で臨界値が限定されているが、いずれも根拠となる比較データを示していないので、その特定数値のみによって進歩性を主張することはできない。
　　
　しかも、本願発明を全体的にみても、上記引用刊行物２の発明及び周知の技術的事項から当業者が当然予測できる範囲を超える格別の作用・効果を見出すことができない。
　　
６ むすび
　以上のとおりであって、本願発明は、引用刊行物２の発明に基づいて、当業者が容易に発明をすることができたものであるから、特許法第２９条第２項の規定により特許を受けることができない。
　よって、結論のとおり審決する。